(57)【要約】【課題】メインミラーの振動を効率的に減衰させることができる撮影装置を提供する。【解決手段】本発明の撮影装置１０は、メインミラー３１と、第１層３４２、第２層３４３、及び制御信号により粘度が変化する制振材料を含むとともに第１層３４２と第２層３４３との間に介在する制振層３４４からなる三層構造３４１を有するメインミラー保持部３４を含み、メインミラー３１を移動させる駆動機構３３と、メインミラー３１がミラーアップ又はミラーダウンした際に、駆動機構３３又はメインミラー３１と衝突してメインミラー３１を位置決めする当接部２１と、メインミラー３１の振動を抑制可能な粘度を制振材料に対して与える制御信号に関する信号情報を記憶する記憶部５２と、記憶部５２に記憶された信号情報を用いて、制御信号を制振材料に与える制御部５０と、を備えることを特徴とする。【選択図】図４
2012128010.tif 000002
【特許請求の範囲】
【請求項１】
撮影光路から退避するミラーアップ状態と、該撮影光路内に配置されるミラーダウン状態との間で移動するメインミラーと、
第１層、第２層、及び制御信号により粘度が変化する制振材料を含むとともに該第１層と該第２層との間に介在する制振層からなる三層構造を有するメインミラー保持部を含み、前記メインミラー保持部を駆動して前記メインミラーを移動させる駆動機構と、
前記メインミラーがミラーアップ又はミラーダウンした際に、前記駆動機構又は前記メインミラーと衝突して前記メインミラーを位置決めする当接部と、
前記当接部との衝突により生じた前記メインミラーの振動を抑制可能な粘度を前記制振材料に対して与える前記制御信号に関する信号情報を記憶する記憶部と、
前記記憶部に記憶された前記信号情報を用いて、前記制御信号を前記制振材料に与える制御部と、を備えることを特徴とする撮影装置。
【請求項２】
撮影光路から退避するミラーアップ状態と、該撮影光路内に配置されるミラーダウン状態との間で移動するメインミラーと、
メインミラー保持部を含み、前記メインミラー保持部を駆動して前記メインミラーを移動させる駆動機構と、
第１層、第２層、及び制御信号により粘度が変化する制振材料を含むとともに該第１層と該第２層との間に介在する制振層からなる三層構造を有し、前記メインミラーがミラーアップ又はミラーダウンした際に、前記駆動機構又は前記メインミラーと衝突して前記メインミラーを位置決めする当接部と、
前記当接部との衝突により生じた前記メインミラーの振動を抑制可能な粘度を前記制振材料に対して与える前記制御信号に関する信号情報を記憶する記憶部と、
前記記憶部に記憶された前記信号情報を用いて、前記制御信号を前記制振材料に与える制御部と、を備えることを特徴とする撮影装置。
【請求項３】
請求項１に記載の撮影装置であって、
前記当接部は、前記三層構造を有すること、
を特徴とする撮影装置。
【請求項４】
請求項１〜３のいずれか一項に記載の撮影装置であって、
前記当接部は、前記ミラーアップ状態において前記駆動機構又は前記メインミラーが当接する第１当接部、又は前記ミラーダウン状態において前記駆動機構又は前記メインミラーが当接する第２当接部であること、
を特徴とする撮影装置。
【請求項５】
請求項１〜４のいずれか一項に記載の撮影装置であって、
前記メインミラーの移動により連動して移動するサブミラーを備え、
前記駆動機構は、前記三層構造を有するサブミラー保持部を有すること、
を特徴とする撮影装置。
【請求項６】
請求項１〜５のいずれか一項に記載の撮影装置であって、
前記制振材料は、電気粘性流体又は磁気粘性流体であること、
を特徴とする撮影装置。
【発明の詳細な説明】
【技術分野】
【０００１】
本発明は、撮影装置に関するものである。
【背景技術】
【０００２】
撮影装置は、撮影光路から退避するミラーアップ状態と、撮影光路内に配置されるミラーダウン状態との間で移動するメインミラーを備えている。メインミラー又はメインミラー保持部は、ミラーアップ又はミラーダウンした際に、メインミラーを位置決めするための当接部に衝突する。そのため、メインミラーは、当接部への衝突により振動する。
【０００３】
従来、当接部との衝突により生じたメインミラーの振動を減衰させるために、メインミラーとメインミラーを保持するメインミラー保持部との間に、振動吸収部材を備える撮影装置が提案されている（例えば、特許文献１参照）。
【先行技術文献】
【特許文献】
【０００４】
【特許文献１】特開２００６−１８９５３９号公報
【発明の概要】
【発明が解決しようとする課題】
【０００５】
しかし、撮影装置の機種ごとに、メインミラーやメインミラー保持部材の形状、大きさ、材質などが異なるため、メインミラーの振動の特性が異なる可能性がある。そのため、特許文献１の振動吸収部材では、好適にメインミラーの振動を減衰させることができない可能がある。
【０００６】
本発明の課題は、メインミラーの振動を効率的に減衰させることができる撮影装置を提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、撮影光路から退避するミラーアップ状態と、該撮影光路内に配置されるミラーダウン状態との間で移動するメインミラー（３１）と、第１層（３４２）、第２層（３４３）、及び制御信号により粘度が変化する制振材料を含むとともに該第１層（３４２）と該第２層（３４３）との間に介在する制振層（３４４）からなる三層構造（３４１）を有するメインミラー保持部（３４）を含み、前記メインミラー保持部（３４）を駆動して前記メインミラー（３１）を移動させる駆動機構（３３）と、前記メインミラー（３１）がミラーアップ又はミラーダウンした際に、前記駆動機構（３３）又は前記メインミラー（３１）と衝突して前記メインミラー（３１）を位置決めする当接部（２１）と、前記当接部（２１）との衝突により生じた前記メインミラー（３１）の振動を抑制可能な粘度を前記制振材料に対して与える前記制御信号に関する信号情報を記憶する記憶部（５２）と、前記記憶部（５２）に記憶された前記信号情報を用いて、前記制御信号を前記制振材料に与える制御部（５０）と、を備えることを特徴とする撮影装置（１０）である。
請求項２に記載の発明は、撮影光路から退避するミラーアップ状態と、該撮影光路内に配置されるミラーダウン状態との間で移動するメインミラー（３１）と、メインミラー保持部（３４）を含み、前記メインミラー保持部（３４）を駆動して前記メインミラー（３１）を移動させる駆動機構（３３）と、第１層（３４２）、第２層（３４３）、及び制御信号により粘度が変化する制振材料を含むとともに該第１層（３４２）と該第２層（３４３）との間に介在する制振層（３４４）からなる三層構造（３４１）を有し、前記メインミラー（３１）がミラーアップ又はミラーダウンした際に、前記駆動機構（３３）又は前記メインミラー（３１）と衝突して前記メインミラー（３１）を位置決めする当接部（２１）と、前記当接部（２１）との衝突により生じた前記メインミラー（３１）の振動を抑制可能な粘度を前記制振材料に対して与える前記制御信号に関する信号情報を記憶する記憶部（５２）と、前記記憶部（５２）に記憶された前記信号情報を用いて、前記制御信号を前記制振材料に与える制御部（５０）と、を備えることを特徴とする撮影装置（１０）である。
請求項３に記載の発明は、請求項１に記載の撮影装置（１０）であって、前記当接部（２１）は、前記三層構造（３４１）を有すること、を特徴とする撮影装置（１０）である。
請求項４に記載の発明は、請求項１〜３のいずれか一項に記載の撮影装置（１０）であって、前記当接部（２１）は、前記ミラーアップ状態において前記駆動機構（３３）又は前記メインミラー（３１）が当接する第１当接部（２２）、又は前記ミラーダウン状態において前記駆動機構（３３）又は前記メインミラー（３１）が当接する第２当接部（２３）であること、を特徴とする撮影装置（１０）である。
請求項５に記載の発明は、請求項１〜４のいずれか一項に記載の撮影装置（１０）であって、前記メインミラー（３１）の移動により連動して移動するサブミラー（３２）を備え、前記駆動機構（３３）は、前記三層構造（３４１）を有するサブミラー保持部（３５）を有すること、を特徴とする撮影装置（１０）である。
請求項６に記載の発明は、請求項１〜５のいずれか一項に記載の撮影装置（１０）であって、前記制振材料は、電気粘性流体又は磁気粘性流体であること、を特徴とする撮影装置（１０）である。
なお、符号を付して説明した構成は、適宜改良してもよく、また、少なくとも一部を他の構成物に代替してもよい。
【発明の効果】
【０００９】
本発明によれば、メインミラーの振動を効率的に減衰させることができる撮影装置を提供することができる。
【図面の簡単な説明】
【００１０】
【図１】本発明の一実施形態を適用したカメラのメインミラーがミラーダウン状態にある場合の断面図である。
【図２】本発明の一実施形態を適用したカメラのメインミラーがミラーアップ状態にある場合の断面図である。
【図３】ミラーユニットの全体構成を示す斜視図である。
【図４】メインミラーがメインミラー保持部に保持されている状態を示す断面図である。
【図５】三層構造を有するメインミラー保持部を示し、（ａ）は、メインミラー保持部の電極に電圧が印加されていない状態を示す図、（ｂ）は、メインミラー保持部の電極に電圧が印加された状態を示す図である。
【図６】三層構造を有するメインミラー保持部を示し、（ａ）は、メインミラー保持部が振動していない状態を示す図、（ｂ）は、メインミラー保持部の振動が減衰する状態を示す図である。
【図７】ミラー駆動機構の制御構成を示すブロック図である。
【図８】メインミラーの振動を抑制可能な制振材料に与える制御信号の一例を示す図であって、（ａ）は、メインミラーの振動波形、（ｂ）は、制振材料に与えられる電圧波形を示す図である。
【図９】（ａ）及び（ｂ）は、他の実施形態を示す図であって、制振材料を磁気粘性流体（ＭＲ流体）により構成する場合を示す図である。
【発明を実施するための形態】
【００１１】
以下、図面等を参照して、本発明の実施形態について説明する。図１は、本発明の一実施形態を適用したカメラのメインミラーがミラーダウン状態にある場合の断面図である。図２は、本発明の一実施形態を適用したカメラのメインミラーがミラーアップ状態にある場合の断面図である。図３は、ミラーユニットの全体構成を示す斜視図である。
【００１２】
なお、以下の図において、説明と理解を容易にするために、適宜直交座標系を設けた。この座標系では、撮影者が光軸Ａを水平として横長の画像を撮影する場合のカメラ１０の位置（以下、通常の撮影位置という）において撮影者から見て左側に向かう方向をＸ軸プラス方向とする。また、通常の撮影位置において上側に向かう方向をＹ軸プラス方向、通常の撮影位置において被写体に向かう方向をＺ軸プラス方向とする。
【００１３】
カメラ１０は、デジタル一眼レフカメラであり、カメラ本体部１１、液晶モニタ１２、マウント部２０、ミラーユニット３０、ファインダ部４０、測距センサ部６０、シャッタ部７０、撮像部８０を備えている。
【００１４】
カメラ本体部１１は、カメラ１０の各部が固定されるメインフレームであり、被写体側の端面にマウント部２０が設けられている。マウント部２０には、撮影レンズや絞りユニットなどを備えた不図示のレンズ鏡筒が着脱自在に装着される。
【００１５】
液晶モニタ１２は、カメラ本体部１１の背面に設けられ、撮像部８０で撮影した静止画像やライブビュー画像のほか、操作に関連した情報などを表示する液晶ディスプレイによって構成されている。
【００１６】
ミラーユニット３０は、メインミラー３１、サブミラー３２及び後述のミラー駆動機構３３を備えている。メインミラー３１及びサブミラー３２は、撮影時以外は定位置に保持されており、撮影時に所定方向に回動するように構成されている。このミラーユニット３０は、マウント部２０に装着された不図示のレンズ鏡筒を通過した被写体光が入射する位置に設けられ、被写体光をファインダ部４０、又はシャッタ部７０及び撮像部８０に入射させる機能を備えている。
【００１７】
メインミラー３１は、被写体光をファインダ部４０に反射させる反射材であり、後述のメインミラー保持部３４に保持されている。このメインミラー３１の中央部には光の一部を透過させる特性を有する半透過ミラーが用いられている。メインミラー３１は、被写体光の一部を透過させてサブミラー３２に被写体光を入射させるようになっている。
【００１８】
サブミラー３２は、メインミラー３１を透過した被写体光の一部を測距センサ部６０に反射させる反射材であり、後述のサブミラー保持部３５に保持されている。サブミラー３２は、サブミラー保持部３５を介してメインミラー３１に対して回動可能に取り付けられており、メインミラー３１の移動により連動して移動する。サブミラー３２は、その回動によりメインミラー３１に折り畳まれた状態及びメインミラー３１の裏側で起立した状態となる。
【００１９】
メインミラー３１及びサブミラー３２は、撮影前においては、図１に示す定位置であるミラーダウン状態にある。このミラーダウン状態において、メインミラー３１及びサブミラー３２は、被写体光をファインダ部４０及び測距センサ部６０へそれぞれ反射している。このうち、ファインダ部４０への反射により、撮影者は、接眼ユニット１７を通じて被写体を観察できる状態となる。
【００２０】
そして、静止画撮影のために不図示のレリーズボタンが押されると、後述するミラー駆動機構３３によりメインミラー３１が上方に回動してペンタプリズム１６側へミラーアップし、それと連動するようにサブミラー３２も上方に回動してメインミラー３１に重なるように折り畳まれ、図２に示すミラーアップ状態に移動する。
【００２１】
これにより、被写体光がミラーユニット３０の後側に配置されているシャッタ部７０及び撮像部８０に入射されて撮影が可能となる。そして、撮影終了後には、後述するミラー駆動機構３３によりメインミラー３１及びサブミラー３２がともに下方に回動して、図１に示す定位置であるミラーダウン状態に復帰（移動）する。ミラー駆動機構３３は、後述する制御部５０によって駆動が制御される。
【００２２】
ミラー駆動機構３３は、図３に示すように、メインミラー保持部３４及びサブミラー保持部３５を備える。ミラー駆動機構３３は、不図示の撮影レンズから出射される被写体光が入射する位置に設けられている。
【００２３】
ミラー駆動機構３３は、メインミラー保持部３４及びサブミラー保持部３５を駆動することで、メインミラー３１を、不図示の撮影レンズと撮像部８０とを結ぶ撮影光路内に光軸Ａに対して約４５°の姿勢で撮影光路内に配置されるミラーダウン状態（観察状態）、及び前記撮影レンズと撮像部８０とを結ぶ撮影光路の上側（撮影光路外）に略水平に位置させて撮影光路から退避するミラーアップ状態（撮像状態）との間で移動させる。
【００２４】
メインミラー保持部３４は、メインミラー３１を保持する部材であり、図３に示すように、板状の底部３４Ａ及び板状の一対の枠部３４Ｂ、３４Ｂにより構成される。メインミラー保持部３４の底部３４Ａは、外形がメインミラー３１と略同じ大きさの略矩形形状であり、略中央において矩形形状の開口３４Ｃを有している。一対の枠部３４Ｂ、３４Ｂは、ミラーダウン状態において、底部３４Ａの被写体光が入射する側の面（以後、表面という）側に、底部３４ＡにおけるＸ軸方向の両方の外縁において表面側に立設されている。
【００２５】
メインミラー保持部３４の底部３４Ａにおける表面側には、メインミラー３１が配置されている。メインミラー３１は、図４に示すように、一対の枠部３４Ｂ、３４Ｂの間において、メインミラー保持部３４の開口３４Ｃを塞ぐように接着剤３１１で固定されている。
【００２６】
図１及び図２に示すように、メインミラー保持部３４は、メイン支軸３６によりカメラ本体部１１などに回動自在に支持されている。メイン支軸３６には、コイルバネ等からなる不図示のリターンバネが設けられている。メインミラー保持部３４は、このリターンバネによりメイン支軸３６を中心として反時計回りに付勢されている。メインミラー保持部３４は、ミラーアップ時にはリターンバネの付勢力に抗して上方に跳ね上がり、ミラーダウン時にはリターンバネの付勢力により下方に押し戻される。
【００２７】
メインミラー保持部３４に保持されるメインミラー３１は、ミラーアップ又はミラーダウンにおいて当接部２１によって位置決めされる。具体的には、メインミラー３１は、ミラーアップ状態ではアップ側受けピン２２によって、ミラーダウン状態ではダウン側受けピン２３によって、それぞれ位置が規制される。
【００２８】
本実施形態においては、メインミラー３１が図１に示すミラーダウン状態から図２に示すミラーアップ状態に移動する際、前述のように、メインミラー保持部３４が不図示のリターンバネの付勢力に抗して上方に跳ね上がる。これにより、メインミラー保持部３４に保持されたメインミラー３１は、その先端がアップ側受けピン２２の第１当接面２２Ａに衝突して位置決めされる。すなわち、アップ側受けピン２２は、メインミラー３１がミラーアップした際に、メインミラー３１と衝突してメインミラー３１を位置決めする。
【００２９】
また、メインミラー３１が図２に示すミラーアップ状態から図１に示すミラーダウン状態に移動する際、前述のように、メインミラー保持部３４がリターンバネの付勢力により下方に戻される。これにより、メインミラー３１は、メインミラー保持部３４の先端がダウン側受けピン２３の第２当接面２３Ａに衝突して位置決めされる。すなわち、ダウン側受けピン２３は、メインミラー３１がミラーダウンした際に、メインミラー保持部３４と衝突してメインミラー３１を位置決めする。
【００３０】
そして、メインミラー３１は、ミラーアップ又はミラーダウンした際において、メインミラー３１又はメインミラー保持部３４が当接部２１（アップ側受けピン２２又はダウン側受けピン２３）に衝突することにより振動する。
ここで、メインミラー保持部３４は、三層構造３４１（図４等参照）を有している。詳細については後述するが、この三層構造３４１は、衝突により生じたメインミラー保持部３４の振動を効率よく減衰させることで、メインミラー３１の振動を効率よく減衰させることができる。メインミラー保持部３４の三層構造３４１については後述する。
【００３１】
サブミラー保持部３５は、サブミラー３２を保持する部材である。サブミラー保持部３５は、サブ支軸３７によりメインミラー保持部３４に軸支されており、メインミラー保持部３４に対して回動可能に取り付けられている。サブ支軸３７には、トグルバネ等の不図示のリターンバネが設けられている。サブミラー保持部３５は、このリターンバネによりサブ支軸３７を中心として時計回り又は反時計回りに付勢されている。
【００３２】
サブミラー保持部３５は、ミラーアップ時に、メインミラー保持部３４に対する角度が所定角度未満になると、リターンバネにより時計回りに付勢され、図２に示すように、メインミラー保持部３４と重なる位置まで回動する。また、ミラーダウン時に、メインミラー保持部３４に対する角度が所定角度以上になると、リターンバネにより反時計回りに付勢され、図１に示すように、メインミラー保持部３４から離れた所定位置まで回動してメインミラー３１の裏側で起立した状態となる。
【００３３】
ファインダ部４０は、ファインダスクリーン１５、ペンタプリズム１６及び接眼ユニット１７を備えている。ファインダスクリーン１５は、ミラーユニット３０の上方に配置された光学部材であり、ミラーユニット３０で反射された被写体光が結像することにより像が形成される。ファインダスクリーン１５上の被写体光は、ペンタプリズム１６によって接眼ユニット１７に導かれる。これにより、撮影者はファインダ１８を覗いて被写体光による像を観察することができる。
【００３４】
ペンタプリズム１６は、ファインダスクリーン１５の上方に配置され、ファインダスクリーン１５上に結像された被写体光による像を接眼ユニット１７へ出射するガラス製のプリズムにより構成されている。接眼ユニット１７は、ペンタプリズム１６から出射された被写体光が入射する位置に配置された光学部材であり、被写体光による像を所定の倍率に拡大する部分である。ファインダ１８は、接眼ユニット１７の後方側に配置された接眼光学系であり、撮影者が目視する部分である。
【００３５】
測距センサ部６０は、サブミラー３２で反射した被写体光を入射して、位相差検出方式により被写体光のデフォーカス量を検出する部分であり、不図示の集光レンズ、セパレータレンズ、ラインセンサにより構成されている。この測距センサ部６０は、サブミラー３２の下方に固定配置されている。測距センサ部６０により検出された被写体のデフォーカス量に基づいて、不図示の合焦レンズ群により焦点調整が行われる。
【００３６】
シャッタ部７０は、ミラーユニット３０の後方に配置されており、撮影時におけるメインミラー３１及びサブミラー３２がミラーアップしたときに被写体光が入射される。シャッタ部７０は不図示の複数のシャッタ羽根を備えており、レリーズボタンなどによる撮影指示に応じてシャッタ羽根を開閉させて、撮像部８０に被写体光を入射する。
【００３７】
撮像部８０は、被写体光による像を撮像する撮像手段であり、シャッタ部７０を通過した被写体光が入射する位置に設けられている。撮像部８０は、ローパスフィルタ８１及び撮像素子８２を備えている。撮像素子８２は、ローパスフィルタ８１の後方に規則的に配置されたフォトダイオード及びＣＣＤ又はＣＭＯＳなどで構成されている。
【００３８】
撮影者によってレリーズスイッチが操作されると、ミラーユニット３０におけるメインミラー３１及びサブミラー３２が揺動して光路の上側にミラーアップし、被写体像光は撮像部８０の撮像素子８２へ到達可能となる。そして、シャッタ部７０が所定時間（露光時間）開き、撮像素子８２が像光に露光される。撮像部８０は、撮像素子８２によって像光を電気信号に変換し、その電気的な画像情報を画像処理回路が画像処理して、液晶モニタ１２に画像として表示し、また、撮像画像情報をメモリに記憶（すなわち撮影）する。
【００３９】
次に、メインミラー保持部３４の三層構造３４１について説明する。図４は、メインミラーがメインミラー保持部に保持されている状態を示す断面図である。図５は、三層構造を有するメインミラー保持部を示し、（ａ）は、メインミラー保持部の電極に電圧が印加されていない状態を示す図、（ｂ）は、メインミラー保持部の電極に電圧が印加された状態を示す図である。図６は、三層構造を有するメインミラー保持部を示し、（ａ）は、メインミラー保持部が振動していない状態を示す図、（ｂ）は、メインミラー保持部の振動が減衰する状態を示す図である。
【００４０】
メインミラー保持部３４は、図４に示すように、第１層３４２、第２層３４３及び制振層３４４からなる三層構造３４１を有している。メインミラー保持部３４は、底部３４Ａ及び枠部３４Ｂの略全域において三層構造３４１を有している。
【００４１】
第１層３４２及び第２層３４３は、互いが所定距離だけ離間して重なるように対向して配置されている。第１層３４２は、メインミラー保持部３４の表面側の層であり、第２層３４３は、メインミラー保持部３４の裏面側の層である。第１層３４２及び第２層３４３は、略同じ大きさの導電体からなる金属板により形成され、電圧を印加可能な電極を構成する。第１層３４２と第２層３４３との間には、制振層３４４が介在している。
【００４２】
制振層３４４は、後述する制御部５０の制御信号により粘度が変化する制振材料を含んで構成される。制振材料としては、電気粘性流体（ＥＲ流体：Ｅｌｅｃｔｒｏｒｈｅｏｌｏｇｉｃａｌ  Ｆｌｕｉｄ）や磁気粘性流体（ＭＲ流体：Ｍａｇｎｅｔｏｒｈｅｏｌｏｇｉｃａｌ  ｆｌｕｉｄ）が挙げられる。本実施形態においては、制振材料は、電気粘性流体（ＥＲ流体）により構成される。そのため、図５に示すように、第１層３４２及び第２層３４３における互いに対向する外縁は、制振層３４４を構成する電気粘性流体の外部への流出を防止するためのシール部材３４５によりシール処理が施されている。
【００４３】
電気粘性流体（ＥＲ流体）には、専用流体（均一系、例えば液晶など）と、絶縁体の微粒子を絶縁流体に加えた流体（分散系）とがある。本実施形態における電気粘性流体（ＥＲ流体）は、分散系であり、例えば、平均数μｍ程度の絶縁体の微粒子（ガラスビーズ、コンスターチなど）３４６を絶縁液体（機械オイル、シリコンオイル、流動パラフィンなど）３４７に加えることにより構成された流体である。電気粘性流体（ＥＲ流体）は、電場が印加又は除去されることによって粘度を変化させることができる。
【００４４】
図５（ａ）及び（ｂ）に示す三層構造３４１における第１層３４２と第２層３４３とからなる電極には、粘度可変回路部３８により電圧を印加可能である。
図５（ａ）に示す第１層３４２と第２層３４３とからなる電極に電圧が印加されていない状態から図５（ｂ）に示す第１層３４２と第２層３４３とからなる電極に電圧が印加されると、電極間に配置される電気粘性流体（ＥＲ流体）には、電場が印加される。電気粘性流体（ＥＲ流体）は、電気粘性流体（ＥＲ流体）に印加された電場に反応して、分散した微粒子３４６が静電誘導により電極間に鎖状のクラスタを形成する。そして、この鎖状のクラスタが電気粘性流体（ＥＲ流体）の流動抵抗となるため、電気粘性流体（ＥＲ流体）の流動が妨げられる。これにより、第１層３４２と第２層３４３とからなる電極に電圧を印加することで、電気粘性流体（ＥＲ流体）の粘度を高くすることができる。
【００４５】
また、電場の強さにより微粒子３４６のクラスタの結合状態が変化するため、電極間に印加する電圧を後述する制御部５０により制御することで、電気粘性流体の粘度の高さを制御することができる。ここで、電極間に印加される電圧を大きくすると、電気粘性流体の粘度を高くすることができる。また、電極間に印加される電圧を小さくすると、電気粘性流体の粘度を低くすることができる。
【００４６】
そして、制振材料としての電気粘性流体（ＥＲ流体）の粘度を変化させることで、メインミラー保持部３４の振動を効率よく減衰させることができる。
具体的には、三層構造３４１は、第１層３４２と第２層３４３とにより、制振層３４４を挟み込んでいる。制振層３４４は、粘度を変化可能な流動性の制振材料を含んでいる。
図６（ａ）に示す状態のメインミラー保持部３４が図６（ｂ）に示すように振動した場合に、制振層３４４の制振材料の粘度を、最も効率的に振動を減衰させることができる粘度になるように高くする。ここで、制振材料は、振動により弾性変形するとともに、制振層３４４と第１層３４２との間、及び制振層３４４と第２層３４３との間において互いの動きを拘束している。これにより、第１層３４２、第２層３４３及び制振層３４４は、メインミラー保持部３４の振動を互いに吸収しあって効率よく振動を減衰させることができる。なお、制振層３４４の制振材料の粘度は、メインミラー３１やメインミラー保持部３４の振動の状態に応じて、後述の制御部５０により、最も効率的に振動を減衰させることができる最適な粘度に適宜調整することができる。
【００４７】
また、前述のように、サブミラー保持部３５は、メインミラー保持部３４に取り付けられているため、衝突により生じたメインミラー３１の振動が伝達される。また、サブミラー保持部３５に保持されたサブミラー３２にも、衝突により生じたメインミラー３１の振動が伝達される。本実施形態においては、メインミラー保持部３４は、前述のように三層構造３４１を有している。そのため、メインミラー保持部３４の三層構造３４１がメインミラー保持部３４の振動を効率よく減衰させることで、メインミラー保持部３４だけでなく、メインミラー３１、サブミラー保持部３５及びサブミラー３２の振動を全体的に短時間に減衰させることができる。
【００４８】
次に、ミラー駆動機構３３の制御ブロックについて説明する。図７は、ミラー駆動機構の制御構成を示すブロック図である。図８は、メインミラーの振動を抑制可能な制振材料に与える制御信号の一例を示す図であって、（ａ）は、メインミラーの振動波形、（ｂ）は、制振材料に与えられる電圧波形を示す図である。
【００４９】
制御部５０は、図７のブロック図に示すように、後述の記憶部５２に記憶された信号情報を用いて、第１層３４２及び第２層３４３からなる電極に印加する電圧波形である制御信号を、粘度可変回路部３８を介して制振材料に与えることが可能である。
【００５０】
本実施形態において、第１層３４２及び第２層３４３からなる電極に印加する制御信号（電圧波形）は、事前の解析結果等に基づいて電圧波形として算出して記憶部５２に記憶されている。制御部５０は、この信号情報を用いて、電極に印加する制御信号の大きさ及び印加時間を、適宜経時的に変化させることができる。これにより、メインミラー３１の経時的な振動の変化（振動波形）に応じて、制振材料の粘度を最も効率的に振動を減衰させることができる最適な粘度に経時的に変化させることができる。
【００５１】
例えば、制御部５０は、当接部２１（アップ側受けピン２２又はダウン側受けピン２３）に衝突した直後のメインミラー３１における最も大きな振幅の振動を減衰させる電圧を所定時間だけ印加する。その後、メインミラー３１の振動の振幅が小さくなったら、振幅の動作に合わせて印加する電圧を適宜調整することで、メインミラー３１の振動を効率的に減衰させることができる。なお、電極に電圧が印加されてから電気粘性流体（ＥＲ流体）が最も効率的に振動を減衰させることができる粘度になるまでの反応時間は、約１０ｍＳ程度である。そのため、解析結果等に基づく粘度を経時的に変化させる調整を容易に行うことができる。
【００５２】
なお、第１層３４２及び第２層３４３からなる電極への電圧の印加は、制振材料の粘度が所定の粘度になるまでの反応時間を考慮して、少なくともメインミラー３１又はミラー駆動機構３３が当接部２１（アップ側受けピン２２又はダウン側受けピン２３）に当接する際に、制振材料が最も効率的に振動を減衰させることができる粘度になっていればよい。
【００５３】
記憶部５２は、アップ側受けピン２２又はダウン側受けピン２３とメインミラー３１又はメインミラー保持部３４との衝突により生じたメインミラー３１の振動を抑制可能な粘度を制振材料に対して与える制御信号に関する信号情報（電圧波形）を記憶している。具体的には、記憶部５２に記憶される信号情報として、減衰させたいメインミラー３１やメインミラー保持部３４の振動の固有振動数や振幅などを考慮して、事前の実験などの解析結果に基づいて最も効果的に振動が減衰される信号情報（電圧波形）が記憶される。
【００５４】
例えば、図８（ａ）に示すように、メインミラー３１の振動は、当接部２１への衝突の直後が最も大きく、その後に徐々に減衰する振動波形を有している。そして、図８（ｂ）に示すような階段状に徐々に減衰する制御信号に関する信号情報（電圧波形）を制振材料に与えることでメインミラー３１の振動を効率的に減衰できるという解析結果を得ている。この場合には、記憶部５２には、その制御信号に関する信号情報（電圧波形）を記憶させる。
【００５５】
次に、メインミラー３１、サブミラー３２及びミラー駆動機構３３の動作について説明する。ここでは、被写体を高速連写撮影する場合の動作について説明する。
まず、図１に示すミラーダウン状態において、撮影者により不図示のレリーズボタンが押されると、メインミラー３１及びサブミラー３２は、ミラー駆動機構３３によりミラーアップ状態になるように駆動される。これにより、図２に示すように、メインミラー３１及びサブミラー３２がミラーアップにより上方に跳ね上がり、メインミラー３１は、光軸Ａ（光路）から退避してアップ側受けピン２２に衝突する。
【００５６】
このメインミラー３１のアップ側受けピン２２への衝突により、メインミラー３１、メインミラー保持部３４、サブミラー保持部３５及びサブミラー３２は、振動する。
ここで、メインミラー保持部３４の三層構造３４１における第１層３４２及び第２層３４３からなる電極へ印加される電圧は、制御部５０に与えられる制御信号により制御されている。そのため、三層構造３４１の制振層３４４の制振部材の粘度は、メインミラー３１がアップ側受けピン２２に衝突する際には、制御部５０により制御信号に基づいて最も効率的に振動を減衰させることができる粘度になっている。
【００５７】
これにより、メインミラー保持部３４は、メインミラー３１がアップ側受けピン２２に衝突することにより生じたメインミラー３１の振動を減衰させることができる。特に、記憶部５２は、メインミラー３１の振動を抑制可能な粘度を制御材料に対して与える制御信号に関する信号情報を記憶している。そのため、制御部５０は、記憶部５２に記憶される信号情報に基づいて、メインミラー３１に生じた振動を効率よく減衰させることができる。従って、アップ側受けピン２２との衝突により生じたメインミラー３１の振動を効率よく短時間に減衰させることができる。
【００５８】
そして、メインミラー３１の振動の大きさが所定量以下になったミラーアップ状態で、シャッタ部７０が開くことにより、入射した被写体光が撮像部８０に導かれ、被写体光による像が撮像される。ここで、メインミラー保持部３４の三層構造３４１によりメインミラー３１の振動を短時間に減衰させることができるため、被写体光による像が撮像されるまでの時間を短くすることができる。
【００５９】
次に、シャッタ部７０が閉じて撮像部８０による撮像が終了すると、次の撮像のための焦点調整を行うため、ミラー駆動機構３３によりメインミラー３１がミラーダウン状態になるように駆動される。これにより、メインミラー３１及びサブミラー３２は、ミラーダウンして下方に押し戻されて、メインミラー保持部３４は、ダウン側受けピン２３に衝突する。
【００６０】
このメインミラー保持部３４のダウン側受けピン２３への衝突により、メインミラー３１及びサブミラー３２は、振動する。
ここで、メインミラー保持部３４の三層構造３４１における第１層３４２及び第２層３４３からなる電極へ印加される電圧は、制御部５０に与えられる制御信号により制御されている。そのため、三層構造３４１の制振層３４４の制振部材の粘度は、メインミラー保持部３４がダウン側受けピン２３に衝突する際には、制御部５０による制御信号により最も効率的に振動を減衰させることができる粘度になっている。これにより、前述のミラーアップの際に生じたメインミラー３１の振動を効率よく減衰することができることと同様に、メインミラー３１がダウン側受けピン２３へ衝突することにより生じたメインミラー３１の振動を効率よく短時間に減衰させることができる。
【００６１】
また、メインミラー保持部３４の振動を減衰させることで、メインミラー保持部３４に取り付けられたサブミラー保持部３５の振動を減衰させることができるとともに、サブミラー保持部３５に保持されたサブミラー３２の振動を減衰させることができる。
【００６２】
振動が減衰されたメインミラー３１は、図１に示すように、光軸Ａ（光路）上に配置されている。また、サブミラー３２は、サブミラー保持部３５の回動により、リターンバネにより反時計回りに付勢されているため、メインミラー保持部３４から離れた所定位置に配置されている。
【００６３】
そして、メインミラー３１及びサブミラー３２の振動が所定量以下になった状態で、次の撮像のために、測距センサ部６０は、被写体光のデフォーカス量を検出する。ここで、メインミラー保持部３４の三層構造３４１によりメインミラー３１及びサブミラー３２の振動を短時間に減衰させることができるため、測距センサ部６０による被写体光のデフォーカス量を検出するまでの時間を短くすることができる。
【００６４】
以上のように、メインミラー３１及びサブミラー３２の振動を短時間に減衰させることができるため、高速連写撮影を行うことができる。
【００６５】
以上、本実施形態によると、以下の効果を有する。
（１）制御部５０は、記憶部５２に記憶された情報を用いて、当接部２１（アップ側受けピン２２又はダウン側受けピン２３）との衝突により生じたメインミラー３１の振動を抑制可能な粘度を、三層構造３４１の制振材料に対して与えることができる。これにより、メインミラー３１やメインミラー保持部３４が当接部２１（アップ側受けピン２２又はダウン側受けピン２３）との衝突により生じたメインミラー３１の振動を効率的に減衰させることができる。
【００６６】
（２）また、メインミラー３１の振動は、メインミラー３１の形状や大きさ、メインミラー保持部３４の形状や大きさにより、カメラの機種ごとにより異なる。しかし、本実施形態によれば、メインミラー３１やメインミラー保持部３４の振動特性に対応した制御信号を制振材料に与えることで、制振材料の粘度を変化させることが可能である。そのため、粘度を変化させることができない振動吸収部材などを使用する場合に比べて、メインミラー３１及びメインミラー保持部３４の様々な形状により生じる様々な振動特性に対応して振動を効率的に減衰させることができる。
【００６７】
（３）また、制振材料の粘度を経時的に変化させることができるので、メインミラー３１の振動を効率よく経時的に減衰させることができる。これにより、当接部２１（アップ側受けピン２２又はダウン側受けピン２３）との衝突により生じたメインミラー３１の振動を効率的に減衰させることができる。
【００６８】
（４）また、メインミラー３１の振動を効率的に減衰させることで、メインミラー３１の振動が許容範囲に減速させるまでの時間を短くすることができる。そのため、高速連写撮影に対応することができる。
【００６９】
（５）また、サブミラー３２は、サブミラー保持部３５を介してメインミラー保持部３４に取り付けられている。そのため、メインミラー３１の振動を効率的に減衰させることにより、サブミラー３２の振動を効率的に減衰させることができる。
【００７０】
（変形形態）
以上、説明した実施形態に限定されることなく、以下に示すような種々の変形や変更が可能であり、それらも本発明の範囲内である。
【００７１】
（１）前述の実施形態では、三層構造３４１を有するメインミラー保持部３４とした。しかし、これに加えて、三層構造３４１を有するサブミラー保持部３５を更に備えていてもよい。この場合、サブミラー保持部３５が三層構造３４１を有することにより、メインミラー保持部３４がメインミラー３１の振動を効率的に減衰させることができると共に、サブミラー保持部３５がサブミラー３２の振動を効率的に減衰させることができる。これにより、ミラー駆動機構３３の全体の振動を効率的に減衰させて、メインミラー３１及びサブミラー３２の振動を一層効率的に減衰させることができる。
【００７２】
（２）また、前述の実施形態では、メインミラー保持部３４が三層構造３４１を有する構成とした。しかし、これに限らず、メインミラー保持部３４が三層構造３４１を有することに代えて、当接部２１（アップ側受けピン２２又はダウン側受けピン２３）が三層構造３４１を有していてもよい。
【００７３】
この場合、当接部２１（アップ側受けピン２２又はダウン側受けピン２３）が三層構造を有することにより、メインミラー３１又はメインミラー保持部３４がアップ側受けピン２２又はダウン側受けピン２３に衝突する際に、制振材料の粘度を変化させることで、メインミラー３１の振動を当接部２１により吸収させることができる。これにより、メインミラー３１の振動を効率的に減衰させることができる。
また、メインミラー３１又はメインミラー保持部３４は、アップ側受けピン２２又はダウン側受けピン２３に衝突して振動が吸収された後に、跳ね返され、リターンバネの付勢力により、再び、アップ側受けピン２２又はダウン側受けピン２３に衝突する可能性がある。ここで、メインミラー３１又はメインミラー保持部３４に再度衝突する際の制振材料の粘度を、残留した振動特性に応じて効果的に変化させることができる。これにより、メインミラー３１の振動を効率的に減衰させることができる。
【００７４】
（３）また、前述の実施形態では、制振層３４４における制振材料を電気粘性流体（ＥＲ流体）とした。しかし、これに限らず、制振層３４４の制振材料は、磁気粘性流体（ＭＲ流体：Ｍａｇｎｅｔｏｒｈｅｏｌｏｇｉｃａｌ  ｆｌｕｉｄ）であってもよい。図９（ａ）及び（ｂ）は、他の実施形態を示す図であって、制振材料を磁気粘性流体（ＭＲ流体）により構成する場合を示す図である。
【００７５】
制振材料が磁気粘性流体（ＭＲ流体）の場合には、図９（ａ）及び（ｂ）に示すように、第１層３４２及び第２層３４３を、例えば金属製の導電体やフェライトコア等の磁性体により構成する。そして、シール部材３４５の外周にコイル４２を巻回することで、三層構造３４１は、全体として電磁石を構成する。これにより、コイル４２に印加される電流を制御することで、磁場強度を変化させて、第１層３４２及び第２層３４３に介在される磁気粘性流体（ＭＲ流体）の粘度を制御部５０により調整することができる。
【００７６】
この磁気粘性流体（ＭＲ流体）は、油系の溶媒中に高い透磁率を持つ鉄等の平均数μｍ程度の微粒子を一様に分散させた流体で、図９（ａ）の状態から図９（ｂ）の状態にコイル４２に電流を印加して発生する磁場が作用すると、鉄等の微粒子を磁化させて磁場方向に鎖状にクラスタを形成する。そして、磁気粘性流体（ＭＲ流体）は、この鎖状のクラスタが流動抵抗となることで、磁気粘性流体（ＭＲ流体）の流動が妨げられて粘度が高くなるように変化される。従って、制振層３４４における制振材料を磁気粘性流体（ＭＲ流体）とすることで、前述の電気粘性流体（ＥＲ流体）とした場合と同様に制振材料の粘度を変化させて、メインミラー３１の振動を効率的に減衰させることができる。
【００７７】
（４）また、前述の実施形態では、アップ側受けピン２２は、メインミラー３１がミラーアップ状態に移動された際、メインミラー３１と衝突する。しかし、これに限らず、アップ側受けピン２２は、メインミラー保持部３４に衝突する構成としてもよい。
また、ダウン側受けピン２３は、メインミラー３１がミラーダウン状態に移動された際、メインミラー保持部３４と衝突する。しかし、これに限らず、ダウン側受けピン２３は、メインミラー３１に衝突する構成としてもよい。
【００７８】
なお、実施形態及び変形形態は、適宜組み合わせて用いることもできるが、詳細な説明は省略する。また、本発明は以上説明した実施形態によって限定されることはない。
【符号の説明】
【００７９】
１０：カメラ、２１：当接部、２２：アップ側受けピン、２３：ダウン側受けピン、３０：ミラーユニット、３１：メインミラー、３２：サブミラー、３３：ミラー駆動機構、３４：メインミラー保持部、３５：サブミラー保持部、５０：制御部、５２：記憶部、３４１：三層構造、３４２：第１層、３４３：第２層、３４４：制振層
【図１】
2012128010.tif 000003
【図２】
2012128010.tif 000004
【図３】
2012128010.tif 000005
【図４】
2012128010.tif 000006
【図５】
2012128010.tif 000007
【図６】
2012128010.tif 000008
【図７】
2012128010.tif 000009
【図８】
2012128010.tif 000010
【図９】
2012128010.tif 000011